(57)【要約】  本発明は停止リブ付の縫合糸クリップおよびその製法に関する。クリップは、外面を有するハウジングと、ハウジングから互いに対向する関係をなして長手方向に延びる一対の顎部と、を含む。弾性パッドは、顎部の各々に担持され、ハウジングの外面と共に遮断キャビティを画成する。少なくとも一つのリブが、キャビティを横切ってハウジングから長手方向に延びて、キャビティへの縫合糸の望ましくない通過を阻止する。【選択図】図５
2007530229.tif 000002
【特許請求の範囲】
【請求項１】
縫合糸を保持する際に使用されるようになった外科用クリップであって、
外面を有するハウジングと、
ハウジングから互いに対向関係をなして長手方向に延びる一対の顎部と、
顎部の各々によって担持され、ハウジングの外面と共にキャビティを画成する弾性パッドと、
キャビティへの縫合糸の通過を阻止するために、キャビティを横切ってハウジングから長手方向に延びる少なくとも一つのリブと、を含むことを特徴とする外科用クリップ。
【請求項２】
パッドは、ハウジングの外面と共にキャビティを画成する近位端壁を有することを特徴とする請求項１に記載の外科用クリップ。
【請求項３】
一つの顎部は、近位端および遠位端を有し、
リブは、一つの顎部と垂直に測定された高さを有し、該高さは、一つの顎部に沿う漸次遠位位置と共に低くなることを特徴とする請求項１に記載の外科用クリップ。
【請求項４】
パッドは、一つの顎部と少なくとも一つのリブの上に形成されたことを特徴とする請求項１に記載の外科用クリップ。
【請求項５】
対向した顎部は、開放位置と閉鎖位置を有し、
クリップは、さらに、ハウジング内に配置され、対向した顎部を閉鎖位置に付勢する特性を有するバネを含むことを特徴とする請求項１に記載の外科用クリップ。
【請求項６】
縫合糸を保持する際に使用されるようになった外科用クリップであって、
入れ子関係を有する内側部材と外側部材とによって形成されたハウジングと、
内側部材からハウジングの外方に延び、且つ第１の内面を有する第１の顎部と、
外側部材からハウジングの外方に延び、且つ第２の内面を有する第２の顎部と、
第１の顎部の第１の面から、第２の顎部の第２の面に向かって延びる少なくとも１つの第１のリブと、
第２の顎部の第２の面から、第１の顎部の第１の面に向かって延びる少なくとも１つの第２のリブと、を含み、
顎部は、第１の顎部の第１の面が第２の顎部の第２の面に向い合う対向関係をなして開放位置と閉鎖位置の間を移動することができることを特徴とする外科用クリップ。
【請求項７】
第１の顎部の少なくとも一つの第１のリブは、第１のリブと第２のリブが開放位置と閉鎖位置との間での顎部の移動を妨げないように、第２の顎部の少なくとも一つの第２のリブからオフセットされていることを特徴とする請求項６に記載の外科用クリップ。
【請求項８】
少なくとも一つの第１のリブは、第１の面と垂直に測定された寸法が、ハウジングの内側部材に近接して最大であることを特徴とする請求項６に記載の外科用クリップ。
【請求項９】
第１のリブは、第１の顎部に沿う漸次位置と共に低くなる高さを有することを特徴とする請求項８に記載の外科用クリップ。
【請求項１０】
少なくとも一つの第１のリブは、単一の第１のリブからなり、
少なくとも一つの第２のリブは、各々、顎部が閉鎖位置にあるとき単一の第１のリブから側方にオフセットされた一対の第２のリブからなることを特徴とする請求項７に記載の外科用クリップ。
【請求項１１】
少なくとも一つの第２のリブは，単一の第２のリブからなり、
少なくとも一つの第１のリブは、各々、顎部が閉鎖位置にあるとき単一の第２のリブから側方にオフセットされた一対の第１のリブからなることを特徴とする請求項８に記載の外科用クリップ。
【請求項１２】
少なくとも一つの第１のリブは、ハウジングの内側部材と一体であり、
少なくとも一つの第２のリブは、ハウジングの外側部材と一体であることを特徴とする請求項６に記載の外科用クリップ。
【請求項１３】
各々外面を有する入れ子部材で形成されたハウジングと、入れ子部材の各々と関連した対向する第１および第２の顎部と、を有する外科用クリップの製造方法であって、
入れ子部材の一つをその関連した第１の顎部と共に第２の成形段階で第１の型で成形する段階と、
第１の成形段階に続いて、第１の顎部および第１の型の上にパッドを成形する段階と、
第１の成形段階中、一つの部材の外面から関連した第１の顎部に沿って延びる少なくとも一つのリブを第１の顎部の上に成形する段階と、
第２の成形段階中、型遮断部材を第１の顎部および少なくとも一つのリブに着座させて、第１の型と共に、パッドのための第２の成形キャビティを形成する段階と、を含むことを特徴とする外科用クリップの製造方法。
【発明の詳細な説明】
【技術分野】
【０００１】
本発明は、クリップおよびクランプに関し、特に縫合糸を保持する際に使用されるようになった外科用クリップに関する。
【背景技術】
【０００２】
外科用クリップは、一般に、クリップの任意の細長い顎部に各々取り付けられた第１および第２の入れ子部材で形成されている。入れ子部材は、対向した顎部を閉鎖状態に付勢する圧縮バネのためのハウジングを形成する。顎部は、一般に、血管や、縫合糸のような他の外科的要素に非外傷的に係合して、それらを閉塞するための軟らかい弾性パッドで典型的に覆われた硬質プラスチックで形成されている。
【０００３】
硬質プラスチックの顎部と軟らかいパッドを備えたこれらのクリップは、二段階成形工程のすばらしい候補者であり、この工程では、硬質プラスチックの顎部が或る型で形成され、軟らかいパッドが第２の型で形成される。この工程では、より硬い材料が成形され、そして硬化される。次いで、それは、硬いプラスチックの顎部に直接、軟らかいパッドを形成するのに用いられる第２の型の一部を形成する。第２の型は、典型的には、第１の型を修正し、且つ硬い顎部と共に第２の型の形成を容易にする型遮断部材を含む。
【発明の開示】
【発明が解決しようとする課題】
【０００４】
従来、これら型遮断部材の使用は、軟らかいパッドと硬い顎部との間の近接界面にボイドまたはスロットを形成していた。クリップで保持されるようになっている縫合糸や他の物体は、これらの遮断ボイドに落ち込みがちであり、挟み込み過程をきわめて面倒にしていた。
【課題を解決するための手段】
【０００５】
本発明によれば、リブが遮断ボイド付近に形成され、第２の型の一部を形成する。これらのリブは、縫合糸がボイドに落ち込むことを不可能にするのに十分な高さで遮断ボイドを通して延びる。第２の型を構成するのに用いられる型遮断部材は、第２の型が形成されるとき、これらのリブに着座される。このようにして、リブを、クリップの対向した顎部の両方に、顎部が閉鎖されたときリブが互いに接触しないように、好ましくはオフセットして形成することができる。
【０００６】
このようにして、型遮断部材を使用しても、重大な遮断ボイドを形成することなく、極めて有利な二段階成形工程に適応させることができる。その結果、外科用クリップを、大きな利点を有する二段階成形工程で形成することができ、且つ縫合糸のような小さな物体の使用に適合させることができる。
【０００７】
本発明の一態様によれば、外科用クリップは縫合糸を保持する際に使用されるようになっている。クリップは、外面を有するハウジングと、ハウジングから互いに対向する関係をなして長手方向に延びる一対の顎部と、を含む。
【０００８】
弾性パッドが、顎部の各々に担持され、ハウジングの外面と共に遮断キャビティを画成する。少なくとも一つのリブが、キャビティを横切ってハウジングから長手方向に延びて、キャビティへの縫合糸の望ましくない通過を阻止する。
【０００９】
他の態様では、外科用クリップは、入れ子関係を有する内側部材と外側部材とを有するハウジングを含む。第１の顎部は、内側部材からハウジングの外方に延び、且つ第１の内面を有する。第２の顎部は、外側部材からハウジングの外方に延び、且つ第２の内面を有する。これらの顎部は、第１の顎部の第１の内面が、第２の顎部の第２の内面に対面する対向関係をなして、開放位置と閉鎖位置との間を移動することができる。少なくとも１つの第１のリブが、第１の顎部の第１の内面から、第２の顎部の第２の内面に向かって延び、少なくとも１つの第２のリブが第２の顎部の第２の内面から、第１の顎部の第１の内面に向かって延びる。これらのリブは、顎部が閉鎖位置にあるとき、非干渉関係を有している。
【００１０】
他の態様では、本発明は、それぞれ外面を有する入れ子部材により形成されたハウジングを有する外科用クリップの製造方法を含む。対向した第１および第２の顎部は、入れ子部材に連結される。入れ子部材の一方は、その関連した顎部と共に、第１の型で成形される。この第１の成形段階に続いて、パッドが第１の型で第１の顎部の上に成形される。第１の成形段階の間、関連した部材の外面から第１の顎部に沿って延びる少なくとも１つのリブが、第１の顎部の上に成形される。第２の成形段階の間、型遮断部材が、第１の顎部および少なくとも１つのリブに着座されて、パッドのための型キャビティを形成する。
【００１１】
本発明のこれらおよび他の特徴と利点は、好ましい実施形態の記載と関連する図面の参照によってより明らかになるであろう。
【発明を実施するための最良の形態】
【００１２】
先行技術の外科用クリップが図１に示され、そして参照番号１０で指定されている。クリップ１０は、圧縮バネ１５のためのハウジングを形成する入れ子部材１２，１４を含む。組み立てを容易にするために、第１の入れ子部材１２は、典型的には、２つの構成部分１６，１８として形成されており、これらは互いにスナップ嵌めである。上顎部２１は入れ子部材１４と一体であり、下顎部２３は入れ子部材１２と一体である。これらの部材１２，１４がバネ１５の付勢に抗して互いに強く握り締められると、顎部２１，２３は開放状態に移動される。部材１２，１４が解放されると、図１に示されるように、バネ１５は顎部２１，２３を閉鎖状態に付勢する。この閉鎖状態では、対向した顎部２１，２３は、手術と関連した種々の物体に係合するようになっている。
【００１３】
これらの物体は、血管のような組織、あるいは縫合糸２７のような手術と関連した他の物体を含む。特に、血管２５の場合、血管２５の非外傷性係合とおそらくは非外傷性閉塞に備える軟らかいまたは弾性パッド３０，３１を、顎部２１，２３にそれぞれ設けることが望ましい。
【００１４】
この発明の製造方法では、軟質のパッド３０を、二段階成形工程で、硬い顎部２１に直接、成形することができる。この工程は、製造コストを著しく減ずるが、従来、図２に参照番号３４で指定された遮断ボイドを発生させていた。特に、細い縫合糸２７の場合、クリップ１０の使用の結果、縫合糸２７が遮断ボイド３４に落ち込むおそれがある。これは、典型的には、顎部２１，２３の間に縫合糸２７を保持するに当たってクリップ１０を無用にする。
【００１５】
従来、遮断ボイド３４は、図３，図４に関連して議論される二段階成形工程で発生していた。このような工程では、顎部２１は、明瞭さの目的のために図３に示されていない第１の型で形成される。顎部３０を形成するプラスチックは、初めに流動状態まで加熱される。この状態で、プラスチックは型に注入され、顎部２１および構成部分１８の形態に形づくられた型キャビティを満たす。二段階成形工程では、この成形された材料は、型内に放置され、型内で冷えて硬化する。
【００１６】
次に、第２の型は、パッド３０（図１）を形成する、より軟らかい弾性材料を受け入れるように形成される。顎部２１は、実際には、図３に参照番号３６で指定された型遮断部材で画成される第２の型の部分を形成する。この型遮断部材３６は、パッド３０を形成するとき、パッド３０の流動状態の弾性材料が構成部分１８に流入するのを防止する。第２の型の画成を助ける型遮断部材３６によって、パッド３０は顎部２１にのみ形成される。
【００１７】
図４に最も良く図示されているように、従来、型遮断部材３６は、顎部２１の上面３８に着座されていた。第１段階で顎部２１を形成し、第２段階でパッド３０を形成した後、型遮断部材３６を取り外し、パッド３０付きの顎部２１を最終形態で取り出すことができることが認識される。従来、型遮断部材３６の取り外しは、パッド３０と構成部分１８との間で顎部２１の上面３８まで延びる遮断ボイド３４を残していた。従来技術のこのようなクリップでは、この遮断ボイド３４が特に問題であった。
【００１８】
図５〜図１４に、本発明の外科用クリップが示され、参照番号５０で指定されている。クリップ５０は、図７に最も良く図示されているバネ５６のためのハウジングを形成する２つの入れ子部材５２，５４を含む。入れ子部材５２は、おそらく図８に最も良く図示されているように、スナップ嵌め関係に組み立てるために２つの部品５８，６１から形成される。第１の顎部６３は、入れ子部材５２と一斉に移動するように部品６１と一体である。同様に、対向した顎部６５は、入れ子部材５４と一体であり、入れ子部材５４と一斉に移動する。弾性パッド６７が顎部６３の上に形成され、同様のパッド７０が顎部６５の上に形成される。指支持部７２が、構成部分１８と一体に成形することができ、指支持部７４は、典型的には、入れ子部材５４とスナップ嵌め関係に組み立てられる。
【００１９】
顎部６３，６５の近位端に形成された複数のリブ７６，７８，８１はクリップ５０に特に重要である。より詳細には、本実施形態では、リブ７６，７８は顎部６５と一体に形成され、リブ８１は顎部６３と一体に形成される。
【００２０】
リブ７６，７８は、顎部６５と共に形成され、そして面８３から遠位方向に、且つ、顎部６５の両側で長手方向に延びる。横断方向では、本実施形態のリブ７６，７８は、顎部６５の面８５から図５で上方に延びて、パッド７０の上方に面した面８７と近接する。リブ８１は、顎部６３の上に同様に形成されるが、図６に最も良く図示されているように、リブ７６，７８の間で側方に配置されている。この側方のオフセットは、図８に示すように顎部が閉鎖状態にあるとき、リブ７６，７８がリブ８１との干渉ばめを有しないようにする。
【００２１】
リブ７６，７８，８１が面８３に近接して形成されているので、リブは、縫合糸２７がいかなる型遮断部材キャビティにも落ち込むのを阻止する硬いプラスチック障壁を形成することが分かる。かくして、例えば、図５に示すように、縫合糸２７は、面８３に近接しても軟らかい弾性パッド６７，７０の間に保持される。顎部６５と関連した２つのリブ７６，７８の離間関係が、図１０に最も良く図示されている。顎部６３の中央に配置されたリブ８１が、図１１に最も良く図示されており、この図では、明瞭さのために、関連したパッド６７は省略されている。リブ７６，７８，８１のオフセット関係は、おそらく図１２の断面図に最も良く図示されている。
【００２２】
リブ７６，７８，８１が面８３に近接して存在するから（図５）、二段階成形工程に適応する特別な型遮断部材９０を設けなければならない。図１３は、図３を参照して議論したのと同様の成形工程における或る段階を示している。型遮断部材３６は、好ましくは面８３に当てて配置され、顎部６５の上面８５に少なくとも部分的に着座される。硬質プラスチックのリブ７６，７８がこの領域に存在するから、型遮断部材９０は、リブ７６，７８にも着座することができるように、特別に構成されなければならない。型遮断部材９０が上面８５およびリブ７６，７８に着座することの様子は、図１４に最も良く図示されている。本発明のより完全な理解は、本発明と関連した方法段階（図１４）と、従来技術と関連した方法段階（図１４）とを比較することにより得ることができる。図１４に最も良く図示されているように、それぞれリブ７６，７８を収容するために、切欠き９２，９４を型遮断部材９０に設けなければならない。
【００２３】
上述の記載にもかかわらず、概念の精神および範囲から逸脱することなく、多くの他の変形を、開示された種々の実施形態および方法段階に行うことができることが理解されよう。例えば、種々のタイプの構造および材料だけではなく、種々の大きさの外科用装置が想定される。多くの変形を、部品の相互関係だけではなく、部品の形状に行うことができることもまた明らかであろう。このような理由で、上述の記載が本発明を制限すべきではなく、上述の記載を単なる好ましい実施例として解釈すべきである。本技術分野で理解されるこれらの変形は、特許請求の範囲に記載された本発明の範囲および精神の範囲内で、他の変形を想定するであろう。
【図面の簡単な説明】
【００２４】
【図１】従来技術による外科用クリップの斜視図である。
【図２】図１のクリップ斜視図であり、従来技術の二段階成形工程に関する課題を示す図である。
【図３】図１のクリップに関する成形段階を示す図である。
【図４】図３に示す成形段階の正面図である。
【図５】本発明の外科用クリップの側面図である。
【図６】図５に示すクリップの平面図である。
【図７】クリップを開放状態にした図６の７−７線断面図である。
【図８】クリップを閉鎖状態にした図７と同様の断面図である。
【図９】本発明に係る上側のリブを示す底面斜視図である。
【図１０】本発明に係る下側のリブを示す上面斜視図である。
【図１１】本発明に係るリブを示す側面斜視図である。
【図１２】図８の１２−１２線断面図である。
【図１３】本発明による方法の段階を示す斜視図である。
【図１４】図１３に示す方法の段階の正面図である。
【符号の説明】
【００２５】
１０  外科用クリップ
１２，１４  入れ子部材
１５  圧縮バネ
１６，１８  構成部分
２１，２３  顎部
２５  管
２７  縫合糸
３０，３１  パッド
３４  遮断ボイド
３６  型遮断部材
３８  上面
５２，５４  入れ子部材
５８，６１  部品
６３，６５  顎部
６７，７０  パッド
７６，７８，８１  リブ
８３  面
８５  上面
９０  型遮断部材
【図１】
2007530229.tif 000003
【図２】
2007530229.tif 000004
【図３】
2007530229.tif 000005
【図４】
2007530229.tif 000006
【図５】
2007530229.tif 000007
【図６】
2007530229.tif 000008
【図７】
2007530229.tif 000009
【図８】
2007530229.tif 000010
【図９】
2007530229.tif 000011
【図１０】
2007530229.tif 000012
【図１１】
2007530229.tif 000013
【図１２】
2007530229.tif 000014
【図１３】
2007530229.tif 000015
【図１４】
2007530229.tif 000016
【国際調査報告】
2007530229.tif 000017
2007530229.tif 000018